(57)【要約】信号処理装置は、無線周波数（ＲＦ）信号を供給する信号源と、信号出力点と、信号源と信号出力点との間に結合され、同調したチャネル周波数上のＲＦ信号の大きさ、および前記同調したチャネル周波数の近傍のＲＦ信号の大きさに対応して、低雑音指数増幅器の選択を制御する第１制御方法とを有する。
2004510377.tif 000002
【特許請求の範囲】
【請求項１】
無線周波数（ＲＦ）信号を供給する信号源（２２）と、
信号出力（２４）と、
前記信号源（２２）と前記信号出力（２４）との間に結合され、同調したチャネル周波数上のＲＦ信号の大きさ、および前記同調したチャネル周波数の近傍のチャネル周波数上のＲＦ信号の大きさに対応して、前記ＲＦ信号の大きさを制御する第１制御手段（１１１、１１２、１１４、１１６、１１８）とを備えることを特徴とする信号処理装置。
【請求項２】
前記同調したチャネル周波数上のＲＦ信号、および前記同調したチャネル周波数の近傍の前記チャネル周波数上のＲＦ信号のそれぞれの大きさに関するチャネル情報を格納するメモリ（５５）と、
前記第１制御手段（１１１、１１２、１１４、１１６、１１８）に結合され、前記メモリ（５５）上に格納された前記チャネル情報に対応して前記第１制御手段を制御する、マイクロプロセッサ（５０）を含む第２制御手段（３０、４０、５０）とをさらに備えることを特徴とする請求項１に記載の信号処理装置。
【請求項３】
チャネル周波数に同調するステップと、
前記同調したチャネル周波数上の無線周波数（ＲＦ）信号、および前記同調したチャネル周波数の近傍のチャネル周波数上のＲＦ信号に関する情報をメモリ（５５）から取り出すステップと、
前記同調したチャネル周波数上のＲＦ信号の大きさが第１の所定のしきい値レベル未満であり、かつ前記同調したチャネル周波数の近傍のＲＦ信号の大きさが第２の所定のしきい値レベル未満であることを前記情報が示している場合に、ＲＦ増幅器（１１６）を動作可能にするステップとを含むことを特徴とする信号処理方法。
【請求項４】
情報を搬送するＲＦ信号を受信するステップと、
前記同調したチャネル周波数上と、前記同調したチャネル周波数の近傍の前記チャネル周波数上のそれぞれのＲＦ信号の大きさを測定するステップと、
前記ＲＦ信号によって搬送された前記情報の品質を測定するステップと、
両方の前記測定ステップによって得られた新しい情報を用いて、前記メモリ（５５）上に格納された前記情報を更新するステップとをさらに含むことを特徴とする請求項３に記載の方法。
【請求項５】
チャネル周波数に同調するステップと、
前記同調したチャネル周波数上の無線周波数（ＲＦ）信号、および前記同調したチャネル周波数の近傍のチャネル周波数上のＲＦ信号に関する情報をメモリ（５５）から取り出すステップと、
前記同調したチャネル周波数上のＲＦ信号の大きさが第１の所定のしきい値レベルを超えていること、または前記同調したチャネル周波数の近傍の前記チャネル周波数上のＲＦ信号の大きさが第２の所定のしきい値レベルを超えていることのいずれかを前記情報が示している場合に、ＲＦ増幅器（１１６）を機能抑止にするステップとを含むことを特徴とする信号処理方法。
【請求項６】
情報を搬送するＲＦ信号を受信するステップと、
前記同調したチャネル周波数上のＲＦ信号と、前記同調したチャネル周波数の近傍の前記チャネル周波数上のＲＦ信号のそれぞれの大きさを測定するステップと、
前記ＲＦ信号によって搬送された前記情報の品質を測定するステップと、
両方の前記測定ステップによって得られた新しい情報を用いて、前記メモリ（５５）上に格納された前記情報を更新するステップとをさらに含むことを特徴とする請求項５に記載の方法。
【発明の詳細な説明】
【０００１】
本発明は、テレビジョン信号受信機などの無線周波数（ＲＦ）信号受信システムに適した、ＲＦ信号のレベルを最適化するＲＦ信号処理装置（ｓｉｇｎａｌ ｐｒｏｃｅｓｓｉｎｇ ａｒｒａｎｇｅｍｅｎｔ）および方法に関する。
【０００２】
テレビジョン信号受信機は、ユーザが常に良好な品質の画像および音声を楽しむことができるように、放送テレビジョン帯全体にわたって適切な信号強度を有するテレビジョン信号を受信することが望ましい。しかし、特定の地理的位置で受信される個々のテレビジョンチャネルの信号強度は、主に各放送局とユーザの受信位置との間の地理的距離差のために、しばしば互いに異なる。望ましくない信号特性を有する（例えば信号が非常に弱かったり、または強い干渉が存在する）テレビジョンチャネルに受信機が同調するとき、このような状態は、不十分な信号対雑音比（Ｓ／Ｎ）による画像中の望ましくないノイズや、アナログ受信用の隣接する周波数信号からの干渉によって引き起こされる混変調（ｃｒｏｓｓ ｍｏｄｕｌａｔｉｏｎ）を含む、いくつかの問題を引き起こす可能性がある。さらに、これらの問題はデジタル放送信号の受信にとって特に有害であり、それは、信号の品質が特定のしきい値未満に低下したとき、受信が完全に失われるからである。
【０００３】
弱い信号の問題を解決する従来の方法は、受け取ったテレビジョン信号の強度を表す自動利得制御（ＡＧＣ）信号に対応して、アンテナと同調器との間に、低雑音指数を目指して最適化された追加の増幅器を選択的に用いることである。例えば、Ｂａｅ（バエ）等により出願され、Ｓａｍｓｕｎｇ Ｅｌｅｃｔｒｏｎｉｃｓ （サムサング　エレクトロニクス）Ｃｏ．， Ｌｔｄ．に譲渡され、１９９７年６月１０日に発行された、ＢＲＯＡＤＣＡＳＴ ＳＩＧＮＡＬ ＲＥＣＥＩＶＥＲ ＨＡＶＩＮＧ Ａ ＬＯＷ−ＮＯＩＳＥ ＡＭＰＬＩＦＩＥＲ ＩＮＳＥＲＴＥＤ ＢＥＦＯＲＥ Ａ ＴＵＮＥＲ（同調器の前段に挿入された低雑音ＡＭＰリフターを有する放送信号受信機）という名称の米国特許第５６３８１４１号はこの種の解決策を開示している。しかし、この従来の解決策は、ＡＧＣ信号がテレビジョン信号の品質（すなわち画像品質および／または音声品質）を表さず、単に受信しているテレビジョン信号の量（すなわち信号強度）を表すだけなので、上述の問題に対しては好ましい解決策ではない。さらに、ＡＧＣ信号は、干渉の問題を引き起こす可能性のある隣接するチャネル周波数上の信号の強度を反映しない。したがって、テレビジョン信号の品質に対応し、かつ／または同調した信号の強度だけでなく、隣接する信号の強度にも対応して、各テレビジョンチャネルでの入力テレビジョン信号のレベルを最適化するＲＦ信号処理回路が求められている。
【０００４】
本発明の態様によれば、信号処理装置は、ＲＦ信号を供給する信号源と、信号出力点と、信号源と信号出力点との間に結合され、同調したチャネル周波数上のＲＦ信号の大きさ、および同調したチャネル周波数の近傍のチャネル周波数上のＲＦ信号の大きさに対応して、ＲＦ信号の大きさを制御する第１制御手段とを備える。
【０００５】
本発明の別の態様によれば、信号処理方法は、チャネル周波数に同調するステップと、同調したチャネル周波数上のＲＦ信号に関する情報、および同調したチャネル周波数の近傍のチャネル周波数上のＲＦ信号に関する情報をメモリから取り出すステップと、その情報が、同調したチャネル周波数上のＲＦ信号の大きさが第１の所定のしきい値レベル未満であり、かつ同調したチャネル周波数の近傍のＲＦ信号の大きさが第２の所定のしきい値レベル未満であることを示している場合に、ＲＦ増幅器を動作可能にするステップとを含む。
【０００６】
本発明の別の態様によれば、信号処理方法は、チャネル周波数に同調するステップと、同調したチャネル周波数上のＲＦ信号に関する情報、および同調したチャネル周波数の近傍のＲＦ信号に関する情報をメモリから取り出すステップと、その情報が、同調したチャネル周波数上のＲＦ信号の大きさが第１の所定のしきい値レベルを超えていること、または同調したチャネル周波数の近傍のＲＦ信号の大きさが第２の所定のしきい値レベルを超えていることのいずれかを示している場合に、ＲＦ増幅器を機能抑止（ｄｉｓａｂｌｅ）にするステップとを含む。
【０００７】
本発明の上記その他の態様を、添付の図面に関連して詳細に説明する。
【０００８】
本明細書で述べる例示は、本発明の好ましい実施形態を説明しているが、そのような例示は、いかなる形でも本発明の範囲を制限するものと解釈すべきではない。種々の各図では、同一または類似の要素を識別するのに同一または類似の参照記号を使用する。
【０００９】
本願は、アナログおよび／またはデジタルテレビジョン信号などの、情報を搬送するＲＦ信号を供給するアンテナなどの信号源と、信号出力点と、信号源と信号出力点の間に結合され、ＲＦ信号によって搬送された情報の品質に対応して、情報を搬送するＲＦ信号の大きさを制御する減衰器および／または低雑音指数増幅器などの増幅器を含み、およびそれらと関連するＲＦスイッチと一緒の制御手段とを備える第１信号処理装置を開示する。その信号処理装置は、その制御手段に結合され、上記ＲＦ信号によって搬送された情報の品質を判定する復調器などのような判定手段をさらに備えることができる。以下で詳細に説明する例示的実施形態によれば、かかる情報の品質は、アナログテレビジョン信号の受信に関する自動色制御（ＡＣＣ）レベル、画像対音声比（Ｐ／Ｓ）、およびデジタルテレビジョン信号の受信に関する信号対雑音比（Ｓ／Ｎ）、等化器（イコライザ）タップ、およびビット誤り率（ＢＥＲ）を含むいくつかの信号パラメータによって示される。上記の装置によって実施される方法も本明細書で開示する。
【００１０】
さらに、本願は、アナログおよび／またはデジタルテレビジョン信号などのＲＦ信号を供給するアンテナなどの信号源と、信号出力点と、信号源と信号出力点の間に結合され、同調したチャネル周波数上のＲＦ信号の大きさに応答し、かつ同調したチャネル周波数に隣接または近接するチャネルを含む同調したチャネルの近傍のＲＦ信号の大きさに対応して、ＲＦ信号の大きさを制御する、関連する減衰器およびＲＦスイッチを含む第１制御手段とを備える第２信号処理装置を開示する。この信号処理装置は、同調するチャネルに関するＲＦ信号、および同調するチャネルの近傍のチャネルに関するＲＦ信号の大きさを含めて、周波数帯全体にわたる受信可能な信号ごとに、ＲＦ信号の大きさに関するチャネル情報を格納するメモリと、第１制御手段に結合され、メモリ上に格納されたチャネル情報に対応して第１制御手段を制御するマイクロプロセッサを含む第２制御手段とをさらに備えることができる。この装置で実施される方法も本明細書で開示される。
【００１１】
次に、図面、より具体的には図１および図２を参照すると、ブロック図１００および２００は、アナログ／デジタルカラーテレビジョン信号受信機に関連して使う、それぞれブースト／減衰器回路１１０および２１０の２つの例示的実装を示している。前述の第１信号処理装置および第２信号処理装置、ならびに各装置によって実施される方法は、図１および図２に示す実施例のそれぞれに等しく適用可能である。
【００１２】
図１に、アナログ／デジタルテレビジョン信号受信機と結びつく、例示的実施のブースト／減衰器回路１１０を開示する。空中から（ｏｆｆ−ｔｈｅ−ａｉｒ）デジタルおよび／またはアナログテレビジョン信号がアンテナ（図示せず）で受信され、次いで同軸ケーブルなどのＲＦ信号伝送回線（図示せず）を介してＵ／Ｖスプリッタ（分波器）２０のＲＦ入力点２２に印加される。Ｕ／Ｖスプリッタ２０は、周波数領域でＶＨＦテレビジョン信号からＵＨＦテレビジョン信号を分離し、ブースト／減衰器回路１１０の一部である減衰器スイッチ１１８にＵＨＦテレビジョン信号を供給する。図１は、ＵＨＦ信号処理経路中に実装されたブースト／減衰器回路１１０を示すが、これは同様にしてＶＨＦ信号処理経路中に実装することもできる。
【００１３】
減衰器スイッチ１１８は、マイクロプロセッサ５０によって生成され、Ｉ２Ｃバスを介して送られるＰＬＬ　ＩＣ　３０からの減衰器制御信号に応答して、減衰器１１２（例えば３ｄＢ抵抗型ＲＦ減衰器）またはブーストスイッチ１１１のどちらかにＵＨＦテレビジョン信号を供給する。ブーストスイッチ１１１は、減衰器スイッチ１１８からＵＨＦ信号を受信し、マイクロプロセッサ５０により生成されＩ２Ｃバスを通じて伝送されるＰＬＬ　ＩＣ　３０からのブースト制御信号に応答して、ＵＨＦ信号をブースト／減衰器回路１１０のチューナブル単同調（ＳＴ）フィルタ１１４、または通常はテレビジョン信号受信機のテレビジョン同調器内のＲＦ回路の入力に位置するチューナブル単同調（ＳＴ）フィルタ１２２のどちらかに供給する。
【００１４】
ブースト／減衰器回路１１０のチューナブル単同調（ＳＴ）フィルタ１１４は、混変調干渉を引き起こす可能性がある望ましくない信号を減衰する。フィルタ１１４は、典型的な標準同調器入力フィルタ１２２よりも広い帯域幅を用いて設計される。このような設計により、損失が減少し、それによって増幅器１１６の雑音指数性能が著しく劣化せず、同時に干渉からのいくらかの保護を与える。フィルタに対する同調信号ＳＴが、Ｉ２Ｃバスを介してマイクロプロセッサ５０によって制御されるデジタル−アナログ変換器（ＤＡＣ）ＩＣ　４０によって生成される。チューナブル単同調（ＳＴ）フィルタ１１４はまた、ＲＦ入力点２０と低雑音増幅器１１６との間のチューナブルインピーダンス整合ネットワークとして動作し、所定の周波数（例えば受信周波数）でアンテナと低雑音増幅器１１６との間のより良好なインピーダンス整合を提供する。より良好なインピーダンス整合により、アンテナと低雑音増幅器１１６との間の電圧定在波比（ＶＳＷＲ）が向上し、望ましくない信号損失とインパルス応答が減少することになる。低雑音増幅器１１６は、マイクロプロセッサ５０によって生成され、Ｉ２Ｃバスを介して伝送されるＰＬＬ　ＩＣ　３０からのブースト制御信号によって作動される。図１の低雑音増幅器１１６として固定利得増幅器を使用するが、適切な利得制御回路を備える利得制御増幅器も使用することができる。ブーストスイッチ１１１の出力信号は、チューナブル単同調フィルタ１２２に印加される。
【００１５】
ＵＨＦ同調器回路１２０は、チューナブル単同調フィルタ１２２、利得制御ＲＦ増幅器１２４、チューナブル複同調（ＤＴ）フィルタ１２６、ミキサ１４２、ＵＨＦ局部発振器１４６、および複同調（ＤＴ）ＩＦフィルタ１５２を含む。利得制御ＲＦ増幅器１２４の利得は、アナログビデオ及び音声処理回路６０（アナログ信号受信の場合）、またはパワー検波器１７９（デジタル信号受信の場合）のどちらかによって生成されたＲＦ　ＡＧＣ信号に対応して制御される。ＵＨＦ同調器回路１２０は、ＵＨＦテレビジョン信号をＩＦテレビジョン信号に変換し、通常はテレビジョン信号受信機の同調器モジュール内に配置される。
【００１６】
次いで、複同調ＩＦフィルタ１５２から出てくるＩＦ信号が、ＩＦ増幅器１５４、ＳＡＷフィルタ１５６、および利得制御ＩＦ増幅器１５８を含むＩＦ信号処理回路１５０内で処理される。利得制御ＩＦ増幅器１５８の利得は、アナログビデオ及び音声処理回路６０（アナログ信号受信の場合）、またはパワー検波器１７９（デジタル信号受信の場合）のどちらかによって生成されたＩＦ　ＡＧＣ信号に対応して制御される。利得制御増幅器１５８の出力信号は、アナログビデオ及び音声処理回路６０を含む後続のアナログ信号処理回路と、アナログ−デジタル変換器１７２、パワー検波器１７９、復調器１７４、等化器１７６、および誤り訂正復号器１７８を含む後続のデジタル信号処理回路１７０とに印加される。
【００１７】
アナログビデオ及び音声処理回路６０は、ＮＴＳＣ、ＰＡＬ、およびＳＥＣＡＭテレビジョン信号などのアナログテレビジョン信号を復調し、ＲＦアナログテレビジョン信号の量（すなわち大きさ）に対応して、利得制御ＲＦ増幅器１２４および利得制御ＩＦ増幅器１５８をそれぞれ制御するＲＦ／ＩＦ　ＡＧＣ信号を生成する。アナログビデオ及び音声処理回路６０は、アナログ−デジタル変換器を含み、そのようなＲＦおよびＩＦ　ＡＧＣ信号をデジタルデータとして表すパラメータ情報をマイクロプロセッサ５０に供給する。同様に、アナログビデオ及び音声処理回路６０は、Ｉ２Ｃバスを介して、自動色制御（ＡＣＣ）信号および画像対音声搬送波比（Ｐ／Ｓ）を表すデジタル形式のパラメータ情報をマイクロプロセッサ５０に供給する。自動色制御（ＡＣＣ）信号と画像対音声搬送波比（Ｐ／Ｓ）はそれぞれ、アナログＲＦテレビジョン信号の画像品質の異なる特徴を示す。
【００１８】
デジタル信号処理回路１７０は、ＱＡＭ、ＱＰＳＫ、およびＨＤ　ＶＳＢ信号などのデジタルテレビジョン信号を処理する。アナログ−デジタル（Ａ／Ｄ）変換器は、通常はデジタル復調器ＩＣ上にどちらも位置する復調器１７４およびパワー検波器１７９に対してデジタル化ＩＦ信号を供給する。パワー検波器１７２は、ＲＦデジタルテレビジョン信号の量（すなわち大きさ）に対応して、利得制御ＲＦ増幅器１２４および利得制御ＩＦ増幅器１５８をそれぞれ制御するＲＦ／ＩＦ　ＡＧＣ信号を生成する。パワー検波器１７２は、Ｉ２Ｃバスを介して、そのようなＲＦおよびＩＦ　ＡＧＣ信号を表すパラメータ情報をマイクロプロセッサ５０に供給する。ＡＧＣレベルの決定は、まだ復調されていないデジタル化ＩＦ信号に基づいて実施される。
【００１９】
復調器１７４は、Ａ／Ｄ変換器１７２からのデジタル化ＩＦ信号を復調し、いわゆる「デジタルベースバンド信号（デジタル基礎帯域信号）」を供給する。復調器１７４はまた、ＲＦデジタルテレビジョン信号の画像および音声の性状（ａｓｐｅｃｔ）のうち１つを示す信号対雑音比（Ｓ／Ｎ）を表すパラメータ情報も生成し、Ｉ２Ｃバスを介してマイクロプロセッサ５０にかかる情報を供給する。
【００２０】
等化器１７６は、復調器１７４からデジタルベースバンド信号を受け取り、それらのインパルス応答を補正しようと試みる。インパルス応答は、アンテナおよび同調器の入力回路の不完全性としての伝送チャネルマルチパス効果によって劣化する可能性がある。等化器１７６はまた、ＲＦデジタルテレビジョン信号の品質の特徴のうち１つを示すフィルタタップを表すパラメータ情報も生成し、Ｉ２Ｃバスを介してかかる情報をマイクロプロセッサ５０に供給する。これらの等化器タップを監視することにより、上記の回路を選択し、アンテナおよび同調器の入力不完全性の効果を減少させることができる。
【００２１】
等化器１７６の出力信号は、リードソロモン復号化手順によってデジタルベースバンド信号に対して誤り訂正を実施する誤り訂正復号器１７８に印加される。誤り訂正復号器１７８は、ＲＦデジタルテレビジョン信号の画像および音声の品質の特徴のうち１つを示すビット誤り率（ＢＥＲ）を表すパラメータ情報を生成し、Ｉ２Ｃバスを介してかかる情報をマイクロプロセッサ５０に供給する。
【００２２】
次いで、誤り訂正復号器１７８の出力信号は、後続の信号処理回路（図示せず）によって処理される。マイクロプロセッサ５０は、図３に開示されている方法で、前述の様々なパラメータ情報に基づいて、ＰＬＬ　ＩＣ　３０およびデジタル−アナログ変換器（ＤＡＣ）ＩＣ　４０を介してブースト／減衰器回路１１０の動作を制御する。
【００２３】
図２は、アナログ／デジタルテレビジョン信号受信機に結びつく、ブースト／減衰器回路２１０の別の例示的実施を開示している。この実施では、Ｉ２Ｃバスを介してマイクロプロセッサ５０によって制御されるＰＬＬ　ＩＣ　３０によって生成された減衰器制御信号に応答して、ＶＨＦとＵＨＦテレビジョン信号をどちらも減衰させることができるように、減衰器スイッチ１１８を有する減衰器１１２が、今度はＲＦ入力２２とＵ／Ｖスプリッタ２０の間に配置されている。ＵＨＦテレビジョン信号は、チューナブル単同調（ＳＴ）フィルタ１１４によってろ波され、次いで、図１に関連して上記で説明したのと同様なやり方で、ブースト制御信号に対応して低雑音増幅器１１６によって増幅される。Ｕ／Ｖスプリッタ２０によってＵＨＦテレビジョン信号から分離されたＶＨＦテレビジョン信号は、チューナブル単同調（ＳＴ）フィルタ１３２、ＲＦ増幅器１３４、チューナブル複同調（ＤＴ）フィルタ１３６、ミキサ１４４、ＶＨＦ局部発振器１４４、および複同調（ＤＴ）ＩＦフィルタ１５２を含むＶＨＦ同調器回路１３０に印加される。複同調（ＤＴ）ＩＦフィルタ１５２は、共用素子としてＶＨＦとＵＨＦの信号処理のどちらにも使用される。ＶＨＦ同調器回路１３０は、テレビジョンＶＨＦ信号をテレビジョンＩＦ信号に変換し、通常はテレビジョン信号受信機の同調器モジュール内に配置される。ＩＦ信号処理回路１５０、アナログビデオ及び音声処理回路６０、デジタル信号処理回路１７０の機能は、図１に関連して上記で説明したのと同じである。マイクロプロセッサ５０は、図４で開示している方法で、前述の様々なパラメータ情報に基づいて、ＰＬＬ　ＩＣ　３０およびデジタル−アナログ変換器（ＤＡＣ）ＩＣ　４０を介してブースト／減衰器回路１１０の動作を制御する。
【００２４】
次に図３を参照すると、フローチャート３００は、図１に示すブースト／減衰器回路１１０の例示的動作方法を開示している。フローチャート３００は、本明細書で開示される回路全体の様々な動作方法に対する補足または追加である。ステップ３０２では、テレビジョン同調器を特定のＵＨＦテレビジョンチャネルに同調する。ステップ３０４では、マイクロプロセッサ５０が、以前に格納されたＡＧＣパラメータデータをメモリ５５から取り出す。ＶＨＦ／ＵＨＦテレビジョン帯全体にわたる個々の受信可能チャネルに対するＡＧＣレベルの決定は、通常はユーザがテレビジョン信号受信機を最初にセットアップしたときに実施され、そのような個々のＡＧＣ情報をメモリ内に格納し、いわゆる「メモリスキャンリスト」を形成することができる。
【００２５】
ステップ３０６では、マイクロプロセッサ５０は、同調したチャネルに対する、格納されているＡＧＣレベルを所定のしきい値と比較する。現ＡＧＣレベルがしきい値よりも低くない場合は、ステップ３１４で示すように、ブースト／減衰回路１１０を迂回する。しかし、そのレベルがしきい値よりも低い場合は、ステップ３０８で、マイクロプロセッサ５０は、隣接するチャネル信号のＡＧＣレベルをメモリ５５から取得する。ステップ３１０では、隣接するチャネルのＡＧＣレベルのうち１つが所定のしきい値のレベルよりも強い場合は、ブースト／減衰器回路１１０を迂回する。そうでない場合には、ステップ３１２で、低雑音増幅器１１６を動作可能にし、作動させる。
【００２６】
ステップ３１６では、ＥＱタップ、ＢＥＲ、ＳＮＲ、ＡＣＣ、およびＰ／Ｓなどの、同調したＵＨＦテレビジョン信号によって搬送された情報の品質を示す様々なパラメータを、上記で説明したように測定する。信号品質が許容されないことをそのようなパラメータが示している場合には、ステップ３１８に示すように減衰器１１２を動作可能にし、作動させる。信号品質が許容されることをそのようなパラメータが示している場合には、ステップ３２６で示すように、テレビジョン信号受信機は、同調した信号と、測定するパラメータデータおよびブースト／減衰器回路１１０の現在の動作モード（すなわち低雑音増幅器１１６を動作可能とするかどうか）を含むチャネルデータとの受信を続ける。ステップ３２８に示すように、この特定のチャネルをメモリ５５内に格納することができるようにするためである。
【００２７】
ステップ３２０では、前述の様々なパラメータを再び測定し、減衰器１１２の効果を判定する。画像および／または音声の品質が改善されたことを、測定したパラメータが示している場合には、ステップ３２４で示すように、減衰器１１２を引き続き動作可能にし、作動する。しかし、減衰器１１２の適用により画像および／または音声の品質が改善されないことをパラメータが示している場合には、ステップ３２２に示すように、メッセージ「チャネル受信不能」を画面上に表示し、かかる情報をメモリ５０上に格納する。
【００２８】
次に図４を参照すると、流れ図４００は、図２に示すブースト／減衰器回路２１０の例示的な動作方法を開示している。流れ図４００は、本明細書で開示される回路全体の様々な動作方法に対する補足または追加である。ステップ４０２では、テレビジョン同調器を特定のＶＨＦまたはＵＨＦのテレビジョンチャネルに同調させる。ＶＨＦチャネルに同調したときは、その同調したＶＨＦテレビジョン信号によって搬送される情報の品質を示す様々なパラメータを測定する。より具体的には、これらのパラメータは、ブースト／減衰器回路２１０の２つの異なる動作モードの下で測定される。「標準（ノーマル）」モードの下では、ステップ４１２で示すように、減衰器１１８を迂回し、その結果ＶＨＦテレビジョン信号が、Ｕ／Ｖスプリッタ２０を介してチューナブル単同調（ＳＴ）フィルタ１３２に直接印加される。「減衰器選択」モードの下では、ステップ４１６で示すように、減衰器１１８を動作可能にし、ＶＨＦテレビジョン信号を印加する。ステップ４１４および４１８で示すように、それぞれの動作モードの下で測定されたパラメータデータは、メモリ５５上に格納される。
【００２９】
様々なパラメータ情報を測定した後、ステップ４２２で、ＡＧＣ信号を評価することによってＶＨＦテレビジョン信号の大きさを判定する。ＶＨＦテレビジョン信号が非常に弱く、適切な受信には適していない可能性がある場合には、ステップ４２６に示すように、減衰器１１８を使用不能にし、迂回する。
【００３０】
ステップ４２０では、異なる動作モードの下での上述の測定結果を比較し、いずれかの、より良好な画像および／または音声の状態を提供する方のモードを引き続き使用する。すなわち、減衰器１１８の適用により、より良好な画像および／または音声の状態が提供される場合には、ステップ４２４に示すように、減衰器１１８を動作可能にし、同調したチャネルの受信のために動作させる。そうでない場合には、ステップ４２６に示すように、減衰器の４２４を回避する。ステップ４２８では、この特定のテレビジョンチャネルに関する、選択された動作モード（すなわち減衰器１１６の使用または不使用）を表す情報を、このチャネルを将来アクセスするときのためにメモリ５５上に格納する。
【００３１】
ＵＨＦチャネルに同調するときには、ブースト／減衰器回路２１０の４つの異なる動作モードの下で、その同調したＵＨＦテレビジョンチャネルによって搬送された情報の品質を示す様々なパラメータを測定する。ステップ４７２で示すように、「標準（ノーマル）」モードの下では、減衰器１１８と低雑音増幅器１１６を共に迂回し、その結果、Ｕ／Ｖスプリッタ２０を介してＵＨＦテレビジョン信号がチューナブル単同調（ＳＴ）フィルタ１２２に直接印加される。ステップ４７６に示すように、「減衰器選択」モードの下では、減衰器１１８を動作可能にし、ＵＨＦテレビジョン信号を印加するが、低雑音増幅器１１６は迂回する。ステップ４８０に示すように、「ブースト選択」モードの下では、低雑音増幅器１１６を動作可能し、ＵＨＦテレビジョン信号を印加するが、減衰器１１８は迂回する。「減衰器＋ブースト選択」モードの下では、減衰器１１８と低雑音増幅器１１６を共に動作可能にし、ＵＨＦテレビジョン信号を印加する。ステップ４７４、４７８、４８２、および４８６に示すように、それぞれの動作モードの下で測定したパラメータデータをメモリ５５上に格納する。
【００３２】
ステップ４８８では、それぞれの４つの動作モードの下でのすべての測定結果を比較し、ステップ４９０に示すように、いずれかの、最も良好な画像および／または音声の状態を提供するモードを引き続き使用する。ステップ４９２では、この特定のＵＨＦテレビジョンチャネルに関する、選択された最良のブースト／減衰器回路２１０の操作（ｏｐｅｒａｔｉｏｎ）を表す情報（すなわち、減衰器１１８と低雑音増幅器の一方または両方を動作可能にするか、しないか）を、このチャネルに将来アクセスするときのためにメモリ５５上に格納する。
【００３３】
好ましいひな形を有するものとして本発明を説明したが、本発明は、この開示の精神および範囲内でさらに変更することができる。したがって本願は、本発明の一般的原理を用いる、本発明のどんな変形形態、使用法、適合も包含することを意図するものである。さらに、本願は、本発明に関係し、かつ頭記の特許請求の範囲の記載の範囲内に包含されるもので、当技術分野で周知または慣用技術の範囲内にある、この開示から逸脱するものも包含することを意図するものである。
【００３４】
例えば、アナログ／デジタルラジオ放送受信機用にブースト／減衰回路１１０とその制御方法を使用することができ、またブースト／減衰回路１１０を、アンテナと、テレビジョン同調器モジュールのフロントエンド回路のＲＦ入力点の間のどこにも配置することができる。すなわち、ブースト／減衰回路１１０は、テレビジョン信号受信機セット内に実装することができるし、テレビジョン信号受信機セット外部の別個のモジュール内に配置することができるし、またはアンテナアセンブリ内に実装することができる。
【００３５】
本明細書で使用した用語「テレビジョン信号受信機」は、ディスプレイを備えている、または備えていないどのようなテレビジョン信号受信機も含む。例えば、用語「テレビジョン信号受信機」には、限定はしないが、ビデオカセットレコーダ（ＶＣＲ）、ＤＶＤプレーヤ、およびセットトップボックスが含まれる。
【図面の簡単な説明】
【図１】
本発明の原理による信号処理装置の第１の例示的実施形態を含むアナログ／デジタルテレビジョン信号受信機の一部を示すブロック図である。
【図２】
本発明の原理による信号処理装置の第２の例示的実施形態を含むアナログ／デジタルテレビジョン信号受信機の一部を示すブロック図である。
【図３】
本発明の原理による、図１に示す第１実施形態の例示的オペレーション方法を説明するフローチャートである。
【図４】
本発明の原理による、図２に示す第２実施形態の例示的オペレーション方法を説明するフローチャートである。
【図１】
2004510377.tif 000003
【図２】
2004510377.tif 000004
【図３】
2004510377.tif 000005
【図４】
2004510377.tif 000006
【国際公開パンフレット】
2004510377.tif 000007
2004510377.tif 000008
2004510377.tif 000009
2004510377.tif 000010
2004510377.tif 000011
2004510377.tif 000012
2004510377.tif 000013
2004510377.tif 000014
2004510377.tif 000015
2004510377.tif 000016
2004510377.tif 000017
2004510377.tif 000018
2004510377.tif 000019
2004510377.tif 000020
2004510377.tif 000021
2004510377.tif 000022
2004510377.tif 000023
2004510377.tif 000024
2004510377.tif 000025
2004510377.tif 000026
2004510377.tif 000027
2004510377.tif 000028
2004510377.tif 000029
【国際公開パンフレット（コレクトバージョン）】
2004510377.tif 000030
2004510377.tif 000031
【国際公開パンフレット（コレクトバージョン）】
2004510377.tif 000032
2004510377.tif 000033
【国際調査報告】
2004510377.tif 000034
2004510377.tif 000035
2004510377.tif 000036
2004510377.tif 000037
2004510377.tif 000038
2004510377.tif 000039